(57)【要約】【課題】遊技機の錠装置と鍵穴飾りとの着脱方向を同じにすること。【解決手段】錠装置１４は、通過開口１９に錠本体１６を挿通させ、開口１３に解錠片１８を進入させて、鍔部１７を支持板部１２の裏面に止着されるが、鍔部１７を支持板部１２にねじ止めしているビスを外して、錠装置１４を横方向に移動させて開口１３から解錠片１８を抜き去ると、この移動によって鍔部１７が支持板部１２の側方に外れ、解錠片１８が通過開口１９に対応した位置となり、錠装置１４を前方に抜き取れる。また、錠装置１４と併せて鍵穴飾り１５も前方へ取り外せる。錠装置１４を鍵穴飾り１５と同様に表側に抜き取る形態になり、錠装置１４と鍵穴飾り１５との着脱方向を同じにできる。【選択図】図１
2010068852.tif 000002
【特許請求の範囲】
【請求項１】
左及び右の縦板部材、これら縦板部材の上端部間に横設された天板部材、前記縦板部材の下端部間に横設された底板部材にて構成されて前記底板部材が遊技機設置島に固定される外枠と、
遊技盤を保持する枠体であって、左の縦辺部材をヒンジにて前記外枠に連結されていて、前記外枠の内側に収容されて右の縦辺部材を前記外枠の前記右の縦板部材の内側に沿わせる閉鎖位置と前記外枠の前方に引き出された開放位置とに扉状に変位可能な中枠と、
前記右の縦辺部材の外面に取り付けられていて、前記中枠が前記閉鎖位置にされると前記右の縦板部材に設けられた係止部に係止して前記中枠の前記開放位置への変位を阻む施錠金具と、
錠本体と、該錠本体の後端部に取り付けられた解錠片と、取り付け用の鍔部とを備えて、前記鍔部を前記右の縦辺部材の内面に固着されたブラケットにねじにて止着されることで前記右の縦辺部材の内面側に配され、前記錠本体に差し込まれた鍵によって中枠解錠方向に回動操作されると、前記右の縦辺部材に設けられている開口に進入させた前記解錠片にて前記施錠金具を変位させて前記係止部との係止を解除する錠装置と
を備える遊技機の枠において、
前記ブラケットは、前記右の縦辺部材の内面に固着される固着板部と、該固着板部に対して垂直で前記固着された状態では前記中枠の内側に向かって突出した姿勢になる支持板部とからなるアングル材であり、
前記錠装置は、前記支持板部に設けられた通過開口に前記錠本体を挿通させ、前記開口に前記解錠片を進入させて、前記錠本体の後端部から張り出した前記鍔部を前記支持板部の裏面に当接させて前記支持板部に止着されるが、
前記ねじを外して、前記錠装置を横方向に移動させて前記開口から前記解錠片を抜き去ると、該移動によって前記鍔部が前記支持板部の側方に外れ、前記解錠片が前記通過開口に対応した位置となり、前記錠装置を前方に抜き取れる
ことを特徴とする遊技機の枠。
【発明の詳細な説明】
【技術分野】
【０００１】
本発明は、遊技機の技術分野に属する。
【背景技術】
【０００２】
パチンコ機等の遊技機は、外殻となる外枠を備えており、その外枠の底板部材を遊技機設置島に固定することで遊技機設置島に取り付けられている。
外枠には、ヒンジ（通常は上下一対）にて中枠が取り付けられており、その中枠にて遊技盤を保持するのが一般的である。また、中枠には遊技盤の前方を覆うためのガラス板が装備された前面枠（窓枠等とも呼ばれる）が取り付けられるのが普通である。
【０００３】
中枠はヒンジにて扉状に開閉可能になっていることから、中枠を閉鎖した状態で施錠する施錠金具と、この施錠金具を解錠操作するための錠装置とが中枠に取り付けられている。なお、施錠金具には前面枠を施錠する機能もあり、錠装置の操作方向に応じて中枠の解錠と前面枠の解錠とが行われるようになっている。
【０００４】
施錠金具及び錠装置は中枠に取り付けられている。
【特許文献１】特開２００３−３０５２６０号公報
【特許文献２】特開平８−３２３０１０号公報
【発明の開示】
【発明が解決しようとする課題】
【０００５】
施錠金具及び錠装置は中枠に取り付けられているが、特許文献１に記載されているとおり、錠装置は支持用の金具の内側から装着されているため（[００１６]、図１、図２）、点検や交換のために取り外す場合は、裏側に抜き取る形態になっていた。
【０００６】
一方、特許文献２に開示されるように、錠装置の周囲を装飾するための鍵穴飾りが用いられているが、この鍵穴飾りは、その裏側でねじ止めされるが、着脱は遊技機の前面側で行われる構成であった。
【０００７】
つまり、錠装置と鍵穴飾りとは、相互に関係があるにもかかわらず、着脱に関しては一貫性が無かった。
【課題を解決するための手段】
【０００８】
請求項１記載の遊技機の枠は、
左及び右の縦板部材、これら縦板部材の上端部間に横設された天板部材、前記縦板部材の下端部間に横設された底板部材にて構成されて前記底板部材が遊技機設置島に固定される外枠と、
遊技盤を保持する枠体であって、左の縦辺部材をヒンジにて前記外枠に連結されていて、前記外枠の内側に収容されて右の縦辺部材を前記外枠の前記右の縦板部材の内側に沿わせる閉鎖位置と前記外枠の前方に引き出された開放位置とに扉状に変位可能な中枠と、
前記右の縦辺部材の外面に取り付けられていて、前記中枠が前記閉鎖位置にされると前記右の縦板部材に設けられた係止部に係止して前記中枠の前記開放位置への変位を阻む施錠金具と、
錠本体と、該錠本体の後端部に取り付けられた解錠片と、取り付け用の鍔部とを備えて、前記鍔部を前記右の縦辺部材の内面に固着されたブラケットにねじにて止着されることで前記右の縦辺部材の内面側に配され、前記錠本体に差し込まれた鍵によって中枠解錠方向に回動操作されると、前記右の縦辺部材に設けられている開口に進入させた前記解錠片にて前記施錠金具を変位させて前記係止部との係止を解除する錠装置と
を備える遊技機の枠において、
前記ブラケットは、前記右の縦辺部材の内面に固着される固着板部と、該固着板部に対して垂直で前記固着された状態では前記中枠の内側に向かって突出した姿勢になる支持板部とからなるアングル材であり、
前記錠装置は、前記支持板部に設けられた通過開口に前記錠本体を挿通させ、前記開口に前記解錠片を進入させて、前記錠本体の後端部から張り出した前記鍔部を前記支持板部の裏面に当接させて前記支持板部に止着されるが、
前記ねじを外して、前記錠装置を横方向に移動させて前記開口から前記解錠片を抜き去ると、該移動によって前記鍔部が前記支持板部の側方に外れ、前記解錠片が前記通過開口に対応した位置となり、前記錠装置を前方に抜き取れる
ことを特徴とするから、
錠装置を鍵穴飾りと同様に表側に抜き取る形態になり、錠装置と鍵穴飾りとの着脱方向を同じにできる。
【発明を実施するための最良の形態】
【０００９】
次に、本発明の実施例等により発明の実施の形態を説明する。なお、本発明は下記の実施例等に限定されるものではなく、本発明の要旨を逸脱しない範囲でさまざまに実施できることは言うまでもない。
［実施例］
図１に示すのは弾球遊技機の中枠の右の縦辺部材１の斜視図（ａは前面側からの、ｂは背面側からの斜視図）である。
【００１０】
中枠は、右の縦辺部材１、右の縦辺部材１と対面して配置される左の縦辺部材、左右の縦辺部材の上端部間に横設された上辺部材及び左右の縦辺部材の下端部間に横設された下辺部材という４部材によって構成される、長方形状の枠であるが、左の縦辺部材、上辺部材及び下辺部材は公知技術に従っており、中枠の全体的な構成も、右の縦辺部材１を除けば公知技術に従っているので、それらの図示及び説明は省略する。また、中枠は左の縦辺部材をヒンジにて外枠に連結されるが、外枠及びヒンジば公知技術に従っているので、それらの図示及び説明も省略する。
【００１１】
本実施例においては右の縦辺部材１はアルミニウム合金の押出成形品であり、略板状をなしている。
右の縦辺部材１の外面には、上下一対の施錠金具２、３が取り付けられている。施錠金具２、３は連結金具４によって連結されていて、連動して昇降変位する。但し、施錠金具２、３は引き上げばね５によって上昇側に付勢されているので、通常は上昇端に位置する。
なお、施錠金具２、３の昇降の範囲は、施錠金具２に設けられた長穴６と、右の縦辺部材１との位置を固定された規制ピン７とによって規定される。
【００１２】
中枠を閉鎖位置にすると右の縦辺部材１が外枠の右の縦板部材の内側に重なるが、中枠を閉鎖位置にする途中で、施錠金具２、３の先端部の傾斜部２ａ、３ａが右の縦板部材に設けられた係止部に接触し、その傾斜によって施錠金具２、３が引き上げばね５に抗して押し下げられ、係止部が溝２ｂ、３ｂに達すれば施錠金具２、３が引き上げばね５の力で引き上げられて係止部に係止する。これにより、中枠が開放変位するのを阻む（中枠が施錠される）。
【００１３】
また右の縦辺部材１には、前面枠（図示せず）を施錠するための前面枠施錠金具８も装着されている。各前面枠施錠金具８はフックを下向きにしており、互いに連動して上下に首振り状に変位する。前面枠施錠金具８は先端を下降させる側に付勢されているので、通常は、下向きの変位端に位置し、前面枠を施錠する。
【００１４】
さらに、右の縦辺部材１の外面には、昇降操作板金９が取り付けられている。
この昇降操作板金９は、中立位置（図示の位置）から上昇、下降が可能で、通常はばねの力で中立位置にされている。昇降操作板金９を中立位置から下降させると、その変位が施錠金具２、３に伝達されて、これらを下降変位させることができ、昇降操作板金９を中立位置から上昇させると、その変位が前面枠施錠金具８に伝達されて、これらを上向きに変位させることができる。なお、いずれの場合も昇降操作板金９に加えた力を解除すれば昇降操作板金９は中立位置に復帰する。
【００１５】
右の縦辺部材１の内面にはブラケット１０が固着されている。ブラケット１０は、固着板部１１と固着板部１１に対して垂直な支持板部１２とからなるアングル材である。
固着板部１１には長方形の窓穴１１ａが設けられており、固着板部１１は、この窓穴１１ａを右の縦辺部材１に設けられている開口１３に重ね合わせるようにして右の縦辺部材１の内面に固着されている。
そして、固着板部１１（ブラケット１０）が右の縦辺部材１に固着された状態では、支持板部１２は、その表面を中枠の左右方向及び上下方向に沿わせて中枠の内側に向かって突出した姿勢になっている。
【００１６】
その支持板部１２には、錠装置１４と鍵穴飾り１５が取り付けられている。
錠装置１４は、錠本体１６と、錠本体１６の後端部に連結された鍔部１７と、錠本体１６とで鍔部１７を挟むことになる位置に配された解錠片１８とを備えている。錠本体１６は、外筒、内筒、鍵穴、タンブラ等を備えたシリンダである。
【００１７】
錠装置１４は、支持板部１２に切り欠きとして設けられたは通過開口１９に錠本体１６を挿通させて、鍔部１７をビスにて支持板部１２に止着することで、ブラケット１０に取り付けられている。また、鍔部１７を支持板部１２に止着するためのビスは支持板部１２を貫通して鍵穴飾り１５のボス１５ａに螺入しており、鍵穴飾り１５をブラケット１０に取り付ける機能も果たしている。
【００１８】
解錠片１８は２本の腕１８ａ、１８ｂに分岐しており、両方の腕１８ａ、１８ｂは
固着板部１１の窓穴１１ａを通って右の縦辺部材１の開口１３に進入して、先端を昇降操作板金９の係口９ａ、９ｂに臨ませている。
【００１９】
解錠片１８は錠本体１６の鍵穴に差し込まれた鍵によって回動操作され、鍵を時計回りに回すと解錠片１８が同じ向きに回動し、解錠片１８の腕１８ａが昇降操作板金９の係口９ａに進入して係合状態になり、昇降操作板金９を下降変位させる。この昇降操作板金９の下降変位は、施錠金具２、３を下降変位させて係止部による係止を解除するので、中枠を開放変位させることが可能になる（解錠される）。
【００２０】
また、これとは反対に鍵を操作すれば、解錠片１８の腕１８ｂが昇降操作板金９の係口９ｂに進入して係合状態になり、昇降操作板金９を上昇変位させる。この昇降操作板金９の上昇変位は、前面枠施錠金具８を上向きに変位させて前面枠に対する施錠を解除する。
【００２１】
錠装置１４は、支持板部１２に設けられた通過開口１９に錠本体１６を挿通させ、開口１３に解錠片１８を進入させて、錠本体１６の後端部から張り出した鍔部１７を支持板部１２の裏面に当接させて支持板部１２に止着されるが、鍔部１７を支持板部１２にねじ止めしているビスを外して、錠装置１４を横方向に移動させて開口１３から解錠片１８を抜き去ると、この移動によって鍔部１７が支持板部１２の側方に外れ、解錠片１８が通過開口１９に対応した位置となり、錠装置１４を前方に抜き取れる。また、錠装置１４と併せて鍵穴飾り１５も前方へ取り外せる。すなわち、錠装置１４を鍵穴飾り１５と同様に表側に抜き取る形態になり、錠装置１４と鍵穴飾り１５との着脱方向を同じにできる。
【図面の簡単な説明】
【００２２】
【図１】実施例の右の縦辺部材の前面側からの斜視図（ａ）と背面側からの斜視図（ｂ）である。
【符号の説明】
【００２３】
１・・・縦辺部材、２・・・施錠金具、２ａ・・・傾斜部、２ｂ・・・溝、４・・・連結金具、
６・・・長穴、７・・・規制ピン、８・・・前面枠施錠金具、９・・・昇降操作板金、
９ａ、９ｂ・・・係口、１０・・・ブラケット、１１・・・固着板部、１１ａ・・・窓穴、
１２・・・支持板部、１３・・・開口、１４・・・錠装置、１５・・・鍵穴飾り、
１５ａ・・・ボス、１６・・・錠本体、１７・・・鍔部、１８・・・解錠片、
１８ａ、１８ｂ・・・腕、１９・・・通過開口。
【図１】
2010068852.tif 000003